(57)【要約】  【課題】時間帯別に抽選の当選確率を切り換えることにより、利用客数に応じた当選確率の設定を容易にできるメダル貸機を提供する。  【解決手段】メダルを貸し出す有価価値に対応して払い出すメダルの数量、抽選の当たりに対応して払い出すメダルの数量、時間帯別の当選確率をそれぞれ設定する。メダルの貸出処理時に、現在の時間帯の当選確率に基づいて抽選し、抽選結果に応じた数量のメダルを払い出す。利用客数に応じて時間帯別に当選確率を設定すれば、利用客数が少ない時間帯の当選確率を高くして集客力を向上させ、利用客数が多い時間帯の当選確率を低くして売上を向上させる。  【選択図】図１
2005328912.tif 000002
【特許請求の範囲】
【請求項１】
時刻を確認する時計手段と、
抽選の当たりに対応して払い出す遊技媒体の数量を設定する数量設定手段と、
時間帯別の当選確率を設定する当選確率設定手段と、
前記数量設定手段で設定された遊技媒体の数量、および前記当選確率設定手段で設定された時間帯別の当選確率を記憶する記憶手段と、
前記遊技媒体の貸出処理時に、現在の時間帯の当選確率に基づいて抽選し、抽選結果に応じた数量の遊技媒体を払い出させる制御手段と
を具備していることを特徴とする遊技媒体貸出装置。
【請求項２】
数量設定手段は、遊技媒体を貸し出す有価価値に対応して払い出す遊技媒体の数量も設定する
ことを特徴とする請求項１記載の遊技媒体貸出装置。
【請求項３】
当選確率の時間帯を設定する時間帯設定手段を具備し、
記憶手段は、前記時間帯設定手段で設定された当選確率の時間帯を記憶する
ことを特徴とする請求項１または２記載の遊技媒体貸出装置。
【請求項４】
遊技媒体を貸し出す有価価値に対応して払い出す遊技媒体の数量を選択する複数の選択操作部を具備し、
当選確率設定手段は、前記選択操作部毎に当選確率を設定し、
記憶手段は、前記当選確率設定手段で設定された選択操作部毎に当選確率を記憶する
ことを特徴とする請求項１ないし３いずれか記載の遊技媒体貸出装置。
【発明の詳細な説明】
【技術分野】
【０００１】
本発明は、遊技媒体を貸し出す遊技媒体貸出装置に関する。
【背景技術】
【０００２】
従来、遊技媒体貸出装置としては、例えばゲームセンターなどの遊技店に設置されて遊技媒体であるメダルを貸し出すメダル貸機などがある。このメダル貸機では、貨幣を投入し、希望する払出枚数の選択ボタンを押下することで、選択された払出枚数のメダルを払い出すとともに必要に応じて釣銭を払い出している。
【０００３】
また、メダルの貸出処理時に抽選を行い、この抽選に当たると余分にメダルを払い出し、利用客の期待感や趣向性が高まり、集客力を向上させようとしたメダル貸機がある（例えば、特許文献１参照。）。
【０００４】
また、遊技店を利用する利用客数は曜日、日付、時間帯などで異なり、例えば平日の午前中の時間帯などは他の時間帯などに比べて少ない傾向がある。そこで、曜日、日付、時間帯毎に、選択金額に対応して払い出すメダルの数量を切り換えるようにし、利用客数の少ない平日の午前中はメダルの払出枚数を他の時間帯よりも多くし、集客効果を高めようとするメダル貸機がある。このようなメダル貸機では、遊技店の係員によって時間帯毎のメダルの払出枚数および払出枚数を切り換える切換時刻を設定しておくことにより、営業中に切換時刻に達したらメダル払出枚数を自動的に切り換えている（例えば、特許文献２参照。）。
【特許文献１】特開２００１−３１４５５５号公報（第５頁、図５）
【特許文献２】特開２０００−３１７１２８号公報（第４−５頁、図５）
【発明の開示】
【発明が解決しようとする課題】
【０００５】
しかしながら、抽選機能を有するメダル貸機では、当選確率を高く設定した場合、利用客が多い時間帯では同じ稼働率であっても売上が減り、また、当選確率を低く設定した場合、利用客の少ないときに効果が得られず、したがって、当選確率の設定が難しい問題がある。
【０００６】
また、曜日、日付、時間帯毎に、選択金額に対応して払い出すメダルの数量を切り換えるメダル貸機では、例えば同一グループの複数の利用客がメダルの払出枚数を切り換える切換時刻に前後して利用した場合、切換時刻前に利用した利用客に払い出されたメダルの払出枚数（例えば１２０枚）と、切換時刻後に利用した利用客に払い出されたメダルの払出枚数（例えば１００枚）が少なく、メダルの払出数に関して不公平感を感じた利用客から遊技店側に苦情がでる可能性がある。
【０００７】
本発明は、このような点に鑑みなされたもので、時間帯別に抽選の当選確率を切り換えることにより、例えば利用客数に応じた当選確率の設定を容易にでき、さらに、当選確率を切り換える切換タイミングで利用する利用客が不公平感を感じることがなく、利用客からの苦情がでない遊技媒体貸出装置を提供することを目的とする。
【課題を解決するための手段】
【０００８】
請求項１記載の遊技媒体貸出装置は、時刻を確認する時計手段と、抽選の当たりに対応して払い出す遊技媒体の数量を設定する数量設定手段と、時間帯別の当選確率を設定する当選確率設定手段と、前記数量設定手段で設定された遊技媒体の数量、および前記当選確率設定手段で設定された時間帯別の当選確率を記憶する記憶手段と、前記遊技媒体の貸出処理時に、現在の時間帯の当選確率に基づいて抽選し、抽選結果に応じた数量の遊技媒体を払い出させる制御手段とを具備しているものである。
【０００９】
そして、例えば利用客数に応じて時間帯別に抽選の当選確率を設定することにより、利用客数が少ない時間帯には当選確率を高くして集客力を向上させるとともに、利用客数が多い時間帯には当選確率を低くして売上を向上させることが可能となり、当選確率の設定が容易になる。さらに、時間帯別に抽選の当選確率を切り換えるだけであるため、時間帯別に遊技媒体の数量を切り換える場合と同様に、切換タイミングの前後で払い出した遊技媒体の数量が相違することになっても、利用客は抽選結果の違いによると判断し、不公平感を利用客が感じることがなく、この点で利用客から苦情はでない。
【００１０】
請求項２記載の遊技媒体貸出装置は、請求項１記載の遊技媒体貸出装置において、数量設定手段は、遊技媒体を貸し出す有価価値に対応して払い出す遊技媒体の数量も設定するものである。
【００１１】
そして、数量設定手段によって、遊技媒体を貸し出す有価価値に対応して払い出す通常時の遊技媒体の数量を設定可能となる。
【００１２】
請求項３記載の遊技媒体貸出装置は、請求項１または２記載の遊技媒体貸出装置において、当選確率の時間帯を設定する時間帯設定手段を具備し、記憶手段は、前記時間帯設定手段で設定された当選確率の時間帯を記憶するものである。
【００１３】
そして、例えば利用客数に応じて当選確率を切り換える時間帯を任意に設定可能となる。
【００１４】
請求項４記載の遊技媒体貸出装置は、請求項１ないし３いずれか記載の遊技媒体貸出装置において、遊技媒体を貸し出す有価価値に対応して払い出す遊技媒体の数量を選択する複数の選択操作部を具備し、当選確率設定手段は、前記選択操作部毎に当選確率を設定し、記憶手段は、前記当選確率設定手段で設定された選択操作部毎に当選確率を記憶するものである。
【００１５】
そして、遊技媒体を貸し出す有価価値に対応して払い出す遊技媒体の数量を選択する複数の選択操作部を有する場合、有価価値に応じて選択操作部毎に当選確率を設定可能となる。
【発明の効果】
【００１６】
請求項１記載の遊技媒体貸出装置によれば、例えば利用客数に応じて時間帯別に抽選の当選確率を設定できるため、利用客数が少ない時間帯には当選確率を高くして集客力を向上できるとともに、利用客数が多い時間帯には当選確率を低くして売上を向上でき、当選確率の設定を容易にできる。さらに、時間帯別に抽選の当選確率を切り換えるだけであるため、時間帯別に遊技媒体の数量を切り換える場合と同様に、切換タイミングの前後で払い出した遊技媒体の数量が相違することになっても、利用客は抽選結果の違いによると判断し、不公平感を利用客が感じることがなく、この点で利用客からの苦情がでないようにできる。
【００１７】
請求項２記載の遊技媒体貸出装置によれば、請求項１記載の遊技媒体貸出装置の効果に加えて、数量設定手段によって、遊技媒体を貸し出す有価価値に対応して払い出す通常時の遊技媒体の数量を設定できる。
【００１８】
請求項３記載の遊技媒体貸出装置によれば、請求項１または２記載の遊技媒体貸出装置の効果に加えて、例えば利用客数に応じて当選確率を切り換える時間帯を任意に設定できる。
【００１９】
請求項４記載の遊技媒体貸出装置によれば、請求項１ないし３いずれか記載の遊技媒体貸出装置の効果に加えて、遊技媒体を貸し出す有価価値に対応して払い出す遊技媒体の数量を選択する複数の選択操作部を有する場合、有価価値に応じて選択操作部毎に当選確率を設定できる。
【発明を実施するための最良の形態】
【００２０】
以下、本発明の一実施の形態を図面を参照して説明する。
【００２１】
図３および図４に、遊技媒体貸出装置として、例えばゲームセンターなどの遊技店に設置されて遊技媒体であるメダルを貸し出すメダル貸機を示す。このメダル貸機は、本体11とこの本体11の前面に開閉可能に設けられた扉体12を有している。
【００２２】
扉体12の前面は、利用客がメダルの貸し出しを操作する操作面13としている。この操作面13には、紙幣を投入する紙幣投入口14、釣銭紙幣を払い出す紙幣投出口15、硬貨を投入する硬貨投入口16、釣銭硬貨や両替硬貨を払い出す硬貨取出口17、メダルが払い出されるメダル取出口18、メダルを貸し出す有価価値に対応して払い出す払出枚数を選択する複数の選択操作部としての選択ボタン19、投入金額や抽選結果などを表示するガイダンス表示部20などが配設されている。
【００２３】
扉体12の裏面には、メダルの払出枚数が所定枚数以上の場合に払い出されるメダルを受け入れるカップを１つずつメダル取出口18に投出するカップ投出部22、メダル取出口18にカップが投出されたことを検知するカップ検知センサ23などが配設されている。
【００２４】
本体11の内部には、紙幣投入口14から投入される全金種紙幣を受け入れて処理するとともに釣銭として千円紙幣を紙幣投出口15に払い出す紙幣処理部24、硬貨投入口16から投入される１００円硬貨および５００円硬貨を受け入れて処理するとともに釣銭硬貨や両替硬貨を硬貨取出口17に払い出す硬貨処理部25、複数枚のメダルを貯留するとともに所定の払出枚数分のメダルをメダル取出口18に投出するメダル投出部26、各種設定や売上集計などを行う係員操作部27、集計結果などをプリントアウトするプリンタ28、メダル貸機を制御する本体制御部29、メダル貸機に電源を供給する電源部30などが配設されている。
【００２５】
本体11の上面には、メダル貸機であることを表示する電照部31が配設されている。
【００２６】
次に、図２に、メダル貸機のブロック図を示す。本体制御部29には、カップ投出部22、カップ検知センサ23、紙幣処理部24、硬貨処理部25、メダル投出部26、複数の選択ボタン19、ガイダンス表示部20、係員操作部27、メダル投出部26から払い出されたメダルの払出枚数をカウントする電磁カウンタ33、プリンタ28がそれぞれ接続され、電源部30から電源が供給される。
【００２７】
係員操作部27は、図５に示すように、本体制御部29に対してコード35で接続されたハンディ端末36であり、このハンディ端末36には、リセットキー37、前回取引キー38、プリント／中止キー39、メニューキー40、設定キー41、矢印キー42、テンキー43、回収キー44、クリアキー45が設けられている。
【００２８】
そして、図２に示すように、係員操作部27は、当選確率の時間帯を設定する時間帯設定手段47の機能、時間帯別の当選確率を設定する当選確率設定手段48の機能、選択ボタン19毎に、メダルを貸し出す有価価値に対応して払い出すメダルの数量、および抽選の当たりに対応して払い出すメダルの数量を設定する数量設定手段49の機能を有している。
【００２９】
本体制御部29は、時刻を確認する時計手段51の機能、メダルの貸出処理時に、現在の時間帯の当選確率に基づいて抽選し、抽選結果に応じた数量のメダルを払い出させる制御手段52の機能、時間帯設定手段47で設定された時間帯、数量設定手段49で設定されたメダルの数量、および当選確率設定手段48で設定された時間帯別の当選確率を記憶する記憶手段53の機能を有している。また、制御手段52は、現在の時間帯の当選確率に基づいて抽選する抽選制御部54の機能を有している。また、記憶手段53は、設定された時間帯別の当選確率を保持する当選確率保持部55の機能を有している。
【００３０】
次に、メダル貸機の運用について説明する。
【００３１】
まず、設定作業および装填作業などの準備作業を行う。この準備作業は、基本的に営業前などに係員が行い、必要があれば営業中も行う。
【００３２】
設定作業では、メダル貸機の扉体12をあけて係員操作部27を扉体12の操作面13側に取り出し、この係員操作部27と操作面13のガイダンス表示部20とを用いて設定を行うもので、係員操作部27を操作して設定し、設定内容を操作面13のガイダンス表示部20に表示する。
【００３３】
図６に示すように、時間帯１〜５を設定する場合、各時間帯１〜５の開始時刻と終了時刻とを設定し、各時間帯１〜５毎の当選確率をそれぞれ設定する。この場合、通常、利用客の少ない時間帯２の当選確率を最も高くし、利用客が多い時間帯４の当選確率を最も低くしている。時間帯５は休止状態に設定している。なお、曜日の条件を含めてよく、その場合は月〜木は当選確率を高めに設定し、週末の金〜日は低めに設定される可能性が高い。また、当選確率を１００％近くに設定することも可能となっており、利用客が極端に少ない時間帯には、略全員を当選させる運用も可能である。
【００３４】
図７に示すように、１〜５の選択ボタン19を設定する場合、１〜５の選択ボタン19毎に、メダルを貸し出す有価価値である金額、払出枚数、当たり時のおまけ枚数をそれぞれ設定する。なお、基本は１０円／１枚で、１０００円以上はプレミアを付けている。当たり時のおまけ枚数は、基本枚数の１割増しとしている。
【００３５】
これらの設定内容は、本体制御部29の記憶手段53に記憶される。
【００３６】
また、装填作業では、紙幣処理部24に釣銭用の千円紙幣を、硬貨処理部25に釣銭用の１００円硬貨をそれぞれ装填する。メダル投出部26にメダルを、カップ投出部22にカップをそれぞれ装填する。
【００３７】
次に、メダル貸機のメダル貸出処理について図１のフローチャートを参照して説明する。
【００３８】
メダル貸機の待機中に（ステップ１）、貸出金額以上の現金が投入され（ステップ２）、１つの選択ボタン19が押下されれば（ステップ３）、選択された選択ボタン19に設定されている払出枚数分のメダルの投出を開始する（ステップ４）。払出枚数が所定枚数の例えば２００枚より少ない場合には、メダル取出口18にメダルを直接払い出し、また、払出枚数が所定枚数の例えば２００枚以上の場合には、メダル取出口18にまずカップを投出し、そのカップ内にメダルを払い出す。
【００３９】
同時に、時計手段51によって現在時刻を確認し（ステップ５）、現在時刻の時間帯の当選確率を確認し（ステップ６）、その当選確率に基づいて抽選制御部54で当たり、はずれを抽選する（ステップ７）。このとき、ガイダンス表示部20には「抽選中」を示すガイダンスを表示する。
【００４０】
選択された選択ボタン19に設定されている払出枚数分のメダルの投出を完了したら（ステップ８）、抽選で当選したか確認する（ステップ９）。
【００４１】
当選した場合には、ガイダンス表示部20に「当たり」を示すガイダンスを表示し（ステップ10）、選択された選択ボタン19に設定されている当たり時のおまけ枚数分のメダルを追加して払い出す（ステップ11）。
【００４２】
はずれの場合には、ガイダンス表示部20に「はずれ」を示すガイダンスを表示する（ステップ12）。
【００４３】
このように、利用客数に応じて時間帯別に抽選の当選確率を設定できるため、利用客数が少ない時間帯（例えば時間帯２の１２：００〜１６：５９）には当選確率を高くすれば、利用客としてはその時間帯にメダルを有利な条件で取得することができるので、その時間帯の集客力を向上できる。逆に、利用客数が多い時間帯（例えば時間帯３の１７：００以降）には当選確率を低くすれば、売上を向上できる。したがって、時間帯別に当選確率の設定を容易にできる。
【００４４】
さらに、時間帯別に抽選の当選確率を切り換えるだけであるため、時間帯別にメダルの数量を切り換える場合のように切換タイミングの前後で払い出したメダルの数量が違うことによる不公平感を利用客が感じることがなく、この点で利用客からの苦情がでないようにできる。例えば、当選確率を切り換える時刻（例えば１６：５９から１７：００）に、同一グループの複数の利用客が連続して利用し、抽選が当たった先の利用客に払い出されたメダルの数量より抽選がはずれた後の利用客に払い出されたメダルの数量が少なくても、当たりとはずれの違いであるので、不公平感は感じられない。
【００４５】
なお、前記実施の形態では、図７に示すように、１〜５の選択ボタン19毎に、金額、払出枚数、当たり時のおまけ枚数をそれぞれ設定したが、図８に示すように、１〜５の選択ボタン19毎に、金額、はずれ時の払出枚数、当たり時の払出枚数をそれぞれ設定し、抽選終了後にはずれ時の払出枚数または当たり時の払出枚数をまとめて払い出すようにしてもよい。
【００４６】
また、メダルを貸し出す有価価値に対応して払い出すメダルの数量を選択する複数の選択ボタン19毎に、当選確率を任意に設定するようにしてもよい。
【００４７】
また、メダル貸機は、現金以外に、カードなどの有価価値記憶媒体を受け入れてメダルを貸し出すようにしてもよい。
【００４８】
また、遊技媒体貸出装置としては、メダル貸機に限らず、遊技媒体としてのパチンコ玉を貸し出す玉貸機、併設されるパチンコ台に対して貸玉投出指令を発する台間カード処理装置などにも適用できる。
【図面の簡単な説明】
【００４９】
【図１】本発明の遊技媒体貸出装置の一実施の形態を示すメダル貸機のメダル貸出処理のフローチャートである。
【図２】同上メダル貸機のブロック図である。
【図３】同上メダル貸機の正面図である。
【図４】同上メダル貸機の扉体を開放した状態正面図である。
【図５】同上メダル貸機の係員操作部の正面図である。
【図６】同上メダル貸機の時間帯別の当選確率の設定例を示す説明図である。
【図７】同上メダル貸機の選択ボタン毎の金額と払出枚数と当たり時のおまけ枚数との設定例を示す説明図である。
【図８】同上メダル貸機の選択ボタン毎の金額とはずれ時の払出枚数と当たり時の払出枚数との設定例を示す説明図である。
【符号の説明】
【００５０】
19    選択操作部としての選択ボタン
47    時間帯設定手段
48    当選確率設定手段
49    数量設定手段
51    時計手段
52    制御手段
53    記憶手段
【図１】
2005328912.tif 000003
【図２】
2005328912.tif 000004
【図３】
2005328912.tif 000005
【図４】
2005328912.tif 000006
【図５】
2005328912.tif 000007
【図６】
2005328912.tif 000008
【図７】
2005328912.tif 000009
【図８】
2005328912.tif 000010